(57)【特許請求の範囲】
【請求項１】
複数のローラにベルトを掛け渡した塗装ローラの前記ベルトに、又はベルトを備えない塗装ローラのローラに塗料を供給するための塗料供給具であって、
上部に配設した上方ローラと下部に配設した下方ローラとに塗料供給ベルトを掛け渡して成る塗料供給ロールと、
前記塗料供給ロールの下方ローラが塗料容器内の塗料に浸るように所定の高さに着脱自在に保持するとともに、前記塗装ローラを載置して該塗装ローラを前記塗料供給ロールの塗料供給ベルトに重なるように滑らせて移動させるためのロール保持台と、を備え、
前記塗装ローラの移動によって前記塗料供給ロールの塗料供給ベルトが回動して前記塗料容器内の塗料が前記塗料供給ベルトに付着し、該塗料供給ベルトに付着した塗料を前記塗装ローラのベルト又はローラに供給できるようにした塗料供給具。
【請求項２】
複数のローラにベルトを掛け渡した塗装ローラの前記ベルトに、又はベルトを備えない塗装ローラのローラに塗料を供給するための塗料供給具であって、
上部に並行に配設した少なくとも２つの上方ローラと、下部に配設した少なくとも１つの下方ローラと、前記上方ローラおよび前記下方ローラに掛け渡した塗料供給ベルトと、を有する塗料供給ロール、および、
前記下方ローラが塗料容器内の塗料に浸るように所定の高さに前記塗料供給ロールを着脱自在に保持する保持部と、該保持部に続く、前記塗装ローラを載置可能な載置面と、を有するロール保持台、を備え、
前記ロール保持台の載置面から前記保持部に保持させた前記塗料供給ロールにかけて、又は前記塗料供給ロール上で、前記塗装ローラを滑らせるように移動させることにより、前記塗料供給ロールの塗料供給ベルトが回動して前記塗料容器内の塗料が前記塗料供給ベルトに付着し、該塗料供給ベルトに付着した塗料を前記塗装ローラのベルト又はローラに供給できるようにした塗料供給具。
【請求項３】
前記ロール保持台は、前記載置面の下方に配置する前記塗料容器の位置決めをする位置決め部を前記載置面の裏側から下方に延設したことを特徴とする請求項２に記載の塗料供給具。
【請求項４】
前記塗料供給ベルトは、メッシュ状に形成されたものであることを特徴とする請求項１，２または３に記載の塗料供給具。
【請求項５】
前記塗料供給ロールは、前記上方ローラと下方ローラとをそれらの両端で支持する支持部材を有し、
前記支持部材は、前記下方ローラの支持位置を上下方向に変更可能な下方ローラ位置変更手段を有することを特徴とする請求項１，２，３または４に記載の塗料供給具。
【請求項６】
前記請求項１，２，３，４または５に記載の塗料供給具と、該塗料供給具から塗料の供給を受けて塗装対象に塗料を塗装する塗装ローラから成る塗装具であって、
前記塗装ローラは、少なくとも２本の平行するローラを具備し、該ローラの長さは、前記ロール保持台の短辺の長さ以下であることを特徴とする塗装具。
【請求項７】
前記塗装ローラは、前記少なくとも２本の平行するローラに掛け渡した塗装ベルトを備えることを特徴とする請求項６に記載の塗装具。
【発明の詳細な説明】
【技術分野】
【０００１】
本発明は、複数のローラにベルトを掛け渡した塗装ローラの前記ベルトに、又はベルトを備えない塗装ローラのローラに塗料を供給するための塗料供給具、および該塗料供給具から塗料供給を受けて塗装対象に塗装する塗装ローラと塗料供給具から成る塗装具に関する。
【背景技術】
【０００２】
従来、塀や建造物の壁面等の塗装対象面に塗装を行う塗装器具として、塗料を塗装ローラに付着させて塗装を行うもの、ローラとローラの間に掛け渡した塗装ベルトに塗料を付着させて塗装を行うもの等が有った。これらは、平面状の塗装対象面を塗装するのに大変に優れている。
【０００３】
このうち、ローラとローラの間に塗装ベルトを掛け渡したものとしては、本願出願人が特許文献１で提案している塗装装置がある。  
すなわち、基体に前ローラ、後ローラ、中間ローラを回転可能に支持し、前ローラと後ローラとに塗装ベルトを掛け渡して塗装ロールを構成し、塗装ロールの下面側を塗装面として塗装対象面に接触させて移動可能とし、上面側を塗料供給面とし、該塗料供給面に供給した塗料を塗装ベルトの移動によって下面側の塗装面に移動させて塗装対象面に付着させるものである。そして、この塗装装置は、塗料タンクから塗料導入管を介して塗料供給面に塗料の供給を受けながら塗装作業をすることができるものである。
【先行技術文献】
【特許文献】
【０００４】
【特許文献１】特開２００８−２６４７１２号公報
【発明の概要】
【発明が解決しようとする課題】
【０００５】
しかしながら、このような従来の技術では、塗料を塗料供給面に供給するための構成が必要となり、それだけ部品点数が増えて製造コストが嵩むという問題点が有った。
【０００６】
また、塗装装置の重量も嵩み、大柄に成り易く使い勝手が悪いという問題点があった。
【０００７】
また、塗料の供給機能を有さない塗装器具の場合、容器に溜まっている塗料に塗装ローラや塗装ベルトを浸して使用するが、この場合、塗装ローラや塗装ベルトの表面に略均一且つ適量の塗料を付着させることが難しいという問題点が有った。
【０００８】
本発明は、このような従来の技術が有する問題点に着目してなされたもので、ローラを有する塗装器具や複数のローラに掛け渡されたベルトを有する塗装器具のローラやベルトに適量の塗料を均一且つ迅速に付着させることができる塗料供給具を提供することを目的としている。
【課題を解決するための手段】
【０００９】
かかる目的を達成するための本発明の要旨とするところは、次の各項の発明に存する。
［１］  複数のローラにベルトを掛け渡した塗装ローラ（３）の前記ベルトに、又はベルトを備えない塗装ローラ（３）のローラに塗料（Ｐ）を供給するための塗料供給具（１）であって、
上部に配設した上方ローラ（１１）と下部に配設した下方ローラ（１２）とに塗料供給ベルト（１５）を掛け渡して成る塗料供給ロール（１０）と、
前記塗料供給ロール（１０）の下方ローラ（１２）が塗料容器（２）内の塗料（Ｐ）に浸るように所定の高さに着脱自在に保持するとともに、前記塗装ローラ（３）を載置して該塗装ローラ（３）を前記塗料供給ロール（１０）の塗料供給ベルト（１５）に重なるように滑らせて移動させるためのロール保持台（２０）と、を備え、
前記塗装ローラ（３）の移動によって前記塗料供給ロール（１０）の塗料供給ベルト（１５）が回動して前記塗料容器（２）内の塗料（Ｐ）が前記塗料供給ベルト（１５）に付着し、該塗料供給ベルト（１５）に付着した塗料（Ｐ）を前記塗装ローラ（３）のベルト又はローラに供給できるようにした塗料供給具（１）。
【００１０】
［２］  複数のローラにベルトを掛け渡した塗装ローラ（３）の前記ベルトに、又はベルトを備えない塗装ローラ（３）のローラに塗料（Ｐ）を供給するための塗料供給具（１）であって、
上部に並行に配設した少なくとも２つの上方ローラ（１１）と、下部に配設した少なくとも１つの下方ローラ（１２）と、前記上方ローラ（１１）および前記下方ローラ（１２）に掛け渡した塗料供給ベルト（１５）と、を有する塗料供給ロール（１０）、および、
前記下方ローラ（１２）が塗料容器（２）内の塗料（Ｐ）に浸るように所定の高さに前記塗料供給ロール（１０）を着脱自在に保持する保持部（２４）と、該保持部（２４）に続く、前記塗装ローラ（３）を載置可能な載置面（２３）と、を有するロール保持台（２０）、を備え、
前記ロール保持台（２０）の載置面（２３）から前記保持部（２４）に保持させた前記塗料供給ロール（１０）にかけて、又は前記塗料供給ロール（１０）上で、前記塗装ローラ（３）を滑らせるように移動させることにより、前記塗料供給ロール（１０）の塗料供給ベルト（１５）が回動して前記塗料容器（２）内の塗料（Ｐ）が前記塗料供給ベルト（１５）に付着し、該塗料供給ベルト（１５）に付着した塗料（Ｐ）を前記塗装ローラ（３）のベルト又はローラに供給できるようにした塗料供給具（１）。
【００１１】
［３］  前記ロール保持台（２０）は、前記載置面（２３）の下方に配置する前記塗料容器（２）の位置決めをする位置決め部（２５）を前記載置面（２３）の裏側から下方に延設したことを特徴とする［２］に記載の塗料供給具（１）。
【００１２】
［４］  前記塗料供給ベルト（１５）は、メッシュ状に形成されたものであることを特徴とする［１］，［２］または［３］に記載の塗料供給具（１）。
【００１３】
［５］  前記塗料供給ロール（１０）は、前記上方ローラ（１１）と下方ローラ（１２）とをそれらの両端で支持する支持部材（１３）を有し、
前記支持部材（１３）は、前記下方ローラ（１２）の支持位置を上下方向に変更可能な下方ローラ位置変更手段（１４）を有することを特徴とする［１］，［２］，［３］または［４］に記載の塗料供給具（１）。
【００１４】
［６］  前記［１］，［２］，［３］，［４］または［５］に記載の塗料供給具（１）と、該塗料供給具（１）から塗料（Ｐ）の供給を受けて塗装対象に塗料（Ｐ）を塗装する塗装ローラ（３）から成る塗装具であって、
前記塗装ローラ（３）は、少なくとも２本の平行するローラ（３１，３１）を具備し、該ローラ（３１，３１）の長さは、前記ロール保持台（２０）の短辺の長さ以下であることを特徴とする塗装具。
【００１５】
［７］  前記塗装ローラ（３）は、前記少なくとも２本の平行するローラ（３１，３１）に掛け渡した塗装ベルト（３３）を備えることを特徴とする［６］に記載の塗装具。
【００１６】
前記本発明は次のように作用する。  
塗装ローラ（３）によって塗装作業をするときは、先ず、塗料供給具（１）のロール保持台（２０）の下方に塗料（Ｐ）の入った塗料容器（２）を配置する。具体的には、ロール保持台（２０）の保持部（２４）の下方に塗料容器（２）を配置する。
【００１７】
塗料容器（２）は、ロール保持台（２０）よりも背の低いもののときには、ロール保持台（２０）と該ロール保持台（２０）を置いた地面や床面等との間に入れれば良い。この場合、ロール保持台（２０）がその載置面（２３）の裏側から下方に延設された位置決め部（２５）を有するものである場合には、塗料容器（２）をより適切な位置に配置し、その位置を維持することができる。したがって、ロール保持台（２０）と塗料容器（２）との位置のずれを直すために塗装作業を中断する等の煩わしさをなくすことができる。
【００１８】
塗料容器（２）がロール保持台（２０）よりも背の高いものであれば、塗料容器（２）の開口を跨ぐようにロール保持台（２０）を塗料容器（２）の上に載せてもよい。この場合、位置決め部（２５）が塗料容器（２）の開口の内側に入るように塗料供給具（１）を載せることができるものでは、塗料供給具（１）を塗料容器（２）に対して位置決めできる場合がある。
【００１９】
次に、保持部（２４）に塗料供給ロール（１０）を保持させる。塗料供給ロール（１０）は、その下方ローラ（１２）が塗料容器（２）内の塗料（Ｐ）に浸るような所定の高さに保持される。
【００２０】
下方ローラ（１２）を支持している塗料供給ロール（１０）の支持部材（１３）に下方ローラ位置変更手段（１４）を有するものにあっては、下方ローラ（１２）と上方ローラ（１１）との間隔を変更できる。すなわち、塗料供給ロール（１０）をロール保持台（２０）に保持させたときの下方ローラ（１２）の上下方向の位置を変更できる。
【００２１】
したがって、深さの異なる塗料容器（２）に対しても下方ローラ（１２）を適切な位置に、あるいは使用者の好みの位置に位置するように塗料供給ロール（１０）をロール保持台（２０）に保持させることができる。塗料供給ロール（１０）をロール保持台（２０）に保持させることにより、塗装ローラ（３）への塗料（Ｐ）の供給準備が完了する。
【００２２】
塗装ローラ（３）に塗料容器（２）内の塗料（Ｐ）を付着させるためには、塗装ローラ（３）を載置面（２３）に載せて塗装ローラ（３）のベルト又はローラが塗料供給ロール（１０）の塗料供給ベルト（１５）に重なる所まで滑らせるように移動を適宜に繰り返せばよい。または、塗料供給ロール（１０）上で塗装ローラ（３）のベルト又はローラを滑らせるように移動させてもよい。
【００２３】
このように塗装ローラ（３）を移動させることにより、塗料供給ロール（１０）の塗料供給ベルト（１５）を回動させて塗料容器（２）内の塗料（Ｐ）が付着した部分を上方に至らせることができる。この上方に至った塗料供給ベルト（１５）に塗装ローラ（３）を重ねることにより、塗料供給ベルト（１５）に付着した塗料（Ｐ）を塗装ローラ（３）のベルト又はローラに付着させることができる。塗料供給ベルト（１５）は、このようにして塗料容器（２）内の塗料（Ｐ）を運ぶので、メッシュ状に形成されたものであることが好ましい。
【００２４】
このように塗料供給具（１）は、上方ローラ（１１）と下方ローラ（１２）とに掛け渡された塗料供給ベルト（１５）に塗料（Ｐ）を付着させ、それを塗装ローラ（３）のベルト又はローラに付着させるので、塗装ローラ（３）のベルト又はローラに均一に塗料（Ｐ）を供給することができる。
【００２５】
また、塗装ローラ（３）のベルト又はローラに付着させる塗料（Ｐ）の量は、使用者の判断で適量を付着させることができる。すなわち、少ない量の塗料（Ｐ）を均一に付着させる場合には、塗料供給ベルト（１５）に塗装ローラ（３）を重ねて移動する回数を少なくし、付着する塗料（Ｐ）の量を多めにしたいときは、塗料供給ベルト（１５）に塗装ローラ（３）を重ねて移動する回数を多くすればよい。
【発明の効果】
【００２６】
本発明にかかる塗料供給具によれば、塗料を供給する塗料供給ロールの上方ローラと下方ローラに掛け渡した塗料供給ベルトに塗料を付着させ、この塗料供給ベルトに付着した塗料を塗装ローラに付着するようにして供給するので、塗料を均一且つ適量を塗装ローラに供給することができる。
【００２７】
また、色の異なる塗料を使用するときは、塗料容器を色の異なる塗料の入った塗料容器と交換するだけで異なる色の塗料の塗装をすることができる。この際、塗料供給ロールも交換すれば、塗料を交換した直後の塗料供給の際に異なる色の塗料が混ざり、所望の色と僅かに異なる色となってしまうことを防止することができる。
【００２８】
また、ロール保持台に位置決め手段を設けたものにあっては、ロール保持台に対する塗料容器の位置を適切にすることができるとともに、塗装作業を続けていてもロール保持台に対する塗料容器の位置がずれてしまうことがない。
【００２９】
また、下方ローラの支持位置を上下方向に変更可能な下方ローラ位置変更手段を有するものでは、深さの異なる塗装容器に対しても上方ローラと下方ローラとの間隔を調節して適宜に使用することができる。
【図面の簡単な説明】
【００３０】
【図１】本発明の一実施の形態に係る塗料供給具の上に載置した塗装ローラを示す斜視図である。
【図２】図１における塗料供給具から塗装ローラに塗料の供給を受ける方法を示す模式図である。
【図３】図１におけるロール保持台を示す平面図である。
【図４】図３のロール保持台を示す側面図である。
【図５】図１における塗装供給ロールを示す斜視図である。
【図６】図５の塗装供給ロールを示す側面図である。
【図７】図１における塗装ローラを示す斜視図である。
【発明を実施するための形態】
【００３１】
以下、図面に基づき本発明の好適な一実施の形態を説明する。  
各図は本発明の一実施の形態を示している。  
図１は、本実施の形態に係る塗料供給具の上に載置した塗装ローラを示す斜視図である。図２は、図１における塗料供給具から塗装ローラに塗料の供給を受ける方法を示す模式図である。
【００３２】
図１及び図２に示したように、塗料供給具１は、塗料容器２に入っている塗料Ｐを塗装ローラ３に均一に供給するための塗料供給ロール１０と、該塗料供給ロール１０を保持するためのロール保持台２０とから成る。
【００３３】
図６および図５に示したように、塗料供給ロール１０は、上方ローラ１１および下方ローラ１２それぞれの両端を板状の支持部材１３で支持したものである。支持部材１３は、Ｔ字状のものである。上方ローラ１１は、支持部材１３の横方向に延びる部分１３ａに３つのローラが平行に取り付けられている。
【００３４】
３つの上方ローラ１１のうち中央の上方ローラ１１が取り付けられている部分からは、下方ローラ１２が取り付けられる部分が下方に延びている。この下方へ延びる部分１３ｂの下端近くに下方ローラ１２が１つ取り付けられている。
【００３５】
下方へ延びる部分１３ｂには、その延びる方向に沿って複数の下方ローラ取付け孔１４が穿設されている。塗料供給ロール１０は、後述するようにロール保持台２０に保持されたときに支持部材１３が下になる。上方ローラ１１や下方ローラ１２は、例えば図示したようにボルトＢによって支持部材１３に着脱可能に取り付けられている。
【００３６】
下方ローラ１２は、複数の下方ローラ取付け孔１４の何れに取り付けるかによって上下方向の位置を変更することができる。言い換えると、下方ローラ１２は上方ローラ１１との間隔を変更することができる。
【００３７】
これら上方ローラ１１と下方ローラ１２とには、塗料Ｐに浸して塗料Ｐを付着させ、該付着した塗料Ｐを塗装ローラ３に供給するための塗料供給ベルト１５が掛け渡されている。この塗料供給ベルト１５は、塗料Ｐが付着し易いように繊維をメッシュ状に形成したものであるが、それに限らず、浸した塗料Ｐが付着しやすいものであればよく、その材質も塗料Ｐが付着しやすいものであればよい。
【００３８】
図１、図２、図５および図６には、塗料供給ベルト１５が下方ローラ１２に接しているように示してあるが、塗料供給ベルト１５は、上方ローラ１１と下方ローラ１２とに掛け渡したときに緩く弛む程度のものでもよい。塗料供給ロール１０が下方ローラ１２の位置を大きく変更可能なものの場合には、塗料供給ベルト１５を長さの異なるものに取り替える必要のある場合がある。その場合には、長さの異なる塗料供給ベルト１５を用意しておき、下方ローラ１２の位置を変更するために下方ローラ１２を支持部材１３から取り外したときに塗料供給ベルト１５を取り替えればよい。
【００３９】
横方向に延びる部分１３ａの上縁部は、外側へ折り曲げられた被保持部１３ｃを有している。この被保持部１３ｃは、後述するロール保持台２０に保持される部分である。
【００４０】
図３には、ロール保持台２０の平面図が示されており、図４には、ロール保持台２０の側面図が示されている。図１にも示したように、ロール保持台２０は、平面板２１の四隅に脚部２２を設けたものである。平面板２１の上面は、塗装ローラ３を載置可能な載置面２３と、塗料供給ロール１０を保持するための保持部２４とを有している。ロール保持台２０は、金属でもよいし、プラスチック類でもよく、ある程度の堅牢性の有るものであれば素材は問われない。
【００４１】
保持部２４は、載置面２３の中央よりも片側に寄せて穿設された開口である。この保持部２４に塗料供給ロール１０の上方ローラ１１、下方ローラ１２が載置面２３の短辺と平行になるように塗料供給ロール１０を入れると、被保持部１３ｃが保持部２４の縁部に掛かる。これにより、塗料供給ロール１０がロール保持台２０に保持される。
【００４２】
図２および図４に示したように、載置面２３の裏面、すなわち平面板２１の下面には、載置面２３の下方に配置する塗料容器２を保持部２４の下方に位置決めするための位置決め部２５が下方に向けて延設されている。この位置決め部２５を設けたものにあっては、図２に示したように塗料容器２を位置決め部２５の間に配置することによって位置決めすることができる。また、塗料容器２の大きさによっては、位置決め部２５が塗料容器２の内側に位置する場合もあるが、この場合であっても、位置決め部２５は塗料容器２を位置決めすることができる。
【００４３】
以上のような塗料供給具１から塗料Ｐの供給を受ける塗装ローラ３は、図１，２および７に示したように、少なくとも２本のローラ３１が断面コ字形の保持体３２に平行して回転可能に取り付けられており、ローラ３１に塗装ベルト３３が掛け渡されて成る。保持体３２の上面側には、柄３４が配設されており、該柄３４の末端にはグリップ３５が取り付けられている。柄３４は、保持体３２の上面に設けられた揺動部材４０に取り付けられており、揺動可能になっている。
【００４４】
揺動部材４０は、保持体３２の上面に固定されたコ字状のベース４１と、該ベース４１に回転可能に支持された回転軸４２と、該回転軸４２に固定されて該回転軸４２とともに回転可能なコ字状の柄取付部４３とから成っている。柄３４は、柄取付部４３を貫通して回転軸４２に取り付けられている。
【００４５】
また、保持体３２の上面の長手方向の一端側には、スプリング材取付け部４４が固定されている。このスプリング材取付け部４４には、コイルバネ４５の一端が掛けられている。コイルバネ４５のもう一方の端部は、柄取付部４３に掛けられている。これにより、柄３４に力を加えない自然な状態では、柄取付部４３はスプリング材取付け部４４側に倒れており、スプリング材取付け部４４に支持されている。
【００４６】
なお、塗装ローラ３は、塗装ベルト３３を有さないものであってもよい。また、ローラ３１は、全長がロール保持台２０の短辺の長さ以下であることが好ましく、さらには、塗料供給ロール１０の塗料供給ベルト１５の幅と略同じ長さであることが好ましい。
【００４７】
次に本実施の形態に係る塗料供給具１の作用を説明する。  
図１または図２に示したように、塗料供給具１から塗装ローラ３に塗料Ｐを供給するためには、先ず、塗料供給具１のロール保持台２０の下方に塗料Ｐの入った塗料容器２を配置する。塗料容器２は、図２に示したような位置決め部２５と位置決め部２５の間に収まるような大きさでもよいし、平面板２１と略同じ大きさのものでもよい。位置決め部２５と位置決め部２５の間に収まるような大きさのもの或いは位置決め部２５と位置決め部２５とが容器の相対する内側面に近い位置になるような大きさのものであれば、ロール保持台２０が動いても塗料供給ロール１０に対する塗料容器２の位置がほとんどずれない。したがって、使用者は塗料容器２の位置のずれを直す必要がないので、塗装作業が中断されることがなく作業に専念できる。
【００４８】
また、塗料容器２の背の高さは、ロール保持台２０より低いか略ロール保持台２０と同じ高さのものでもよい。さらには、ロール保持台２０よりも明らかに高さのある塗料容器２であってもよい。この場合は、塗料容器２の開口を跨ぐようにロール保持台２０を塗料容器２の上に載せればよい。位置決め部２５が塗料容器２の開口の内側に入り、且つ開口の周縁近傍に位置するような塗料容器２の場合には、塗料供給具１全体を塗料容器２に対して位置決めできる。
【００４９】
次に、塗料供給ロール１０をその被保持部１３ｃが保持部２４の開口の周縁に掛かるように保持部２４の開口に入れる。これにより、塗料供給ロール１０が保持部２４に保持される。塗料容器２内には、塗料供給ロール１０の下方ローラ１２および下方ローラ１２に掛かっている塗料供給ベルト１５が塗料Ｐに浸るような量の塗料Ｐを入れておく。
【００５０】
この際、塗料供給ロール１０が支持部材１３に下方ローラ取付け孔１４を有するものの場合は、上方ローラ１１から下方ローラ１２までの間隔を変更して所望の間隔にしておくことができる。すなわち、深さの異なる塗料容器２に対しても下方ローラ１２を適切な位置に、あるいは使用者の好みの位置に位置するように塗料供給ロール１０をロール保持台２０に保持させることができる。以上のようにして塗料供給具１の準備が整うと塗装ローラ３への塗料Ｐの供給準備が完了する。
【００５１】
図２に示したように、塗料容器２の塗料Ｐを塗装ローラ３に供給させるためには、塗料Ｐに浸った塗料供給ベルト１５を塗料Ｐが付着している状態のままに回動させて上方ローラ１１上に至らせ、塗料供給ベルト１５に付着した塗料Ｐに塗装ローラ３の塗装ベルト３３を重ねて、塗料Ｐを塗装ベルト３３に付着させればよい。したがって、塗装ローラ３をロール保持台２０の載置面２３に載せて塗装ローラ３の塗装ベルト３３が塗料供給ロール１０の塗料供給ベルト１５に重なる所まで矢印Ａ方向または矢印Ｂ方向に滑らせるように移動を適宜に繰り返せばよい。この塗装ローラ３の移動には、矢印Ａ方向および矢印Ｂ方向への往復動を適宜に加えてもよいことは言うまでもない。
【００５２】
このように塗料供給具１は、上方ローラ１１と下方ローラ１２とに掛け渡された塗料供給ベルト１５に塗料Ｐを付着させ、その塗料供給ベルト１５の塗料Ｐを塗装ローラ３の塗装ベルト３３に付着させるので、塗装ローラ３の塗装ベルト３３に均一に塗料Ｐを供給することができる。
【００５３】
また、塗装ローラ３の塗装ベルト３３に付着させる塗料Ｐの量は、使用者の判断で適宜に調節することができる。例えば、少ない量の塗料Ｐを均一に付着させる場合には、塗料供給ベルト１５に塗装ローラ３を重ねて移動する回数を少なくすればよい。また、付着する塗料Ｐの量を多めにしたいときは、塗料供給ベルト１５に塗装ローラ３を重ねて移動する回数を多くすればよい。
【００５４】
以上、本発明の実施の形態を図面によって説明してきたが、具体的な構成は前述した実施の形態に限られるものではなく、本発明の要旨を逸脱しない範囲における変更や追加があっても本発明に含まれる。
【００５５】
例えば、前記実施の形態では、支持部材１３をＴ字状のものとして例示したが、逆三角形状、四辺形状、その他の形状であってもよい。また、上方ローラ１１の数は３つに限られない。下方ローラ１２の数も１つに限られず、複数のローラを平行に設けてもよい。さらに、塗料供給ベルト１５の動きをより良くするために、上方ローラ１１の表面に塗料供給ベルト１５の裏面との摩擦係数を増大させるための処理を行ったり、上方ローラ１１の表面の一部または全周に亘って小突起のようなものを設けたりしてもよい。
【産業上の利用可能性】
【００５６】
本発明に係る塗料供給具の思想は、塗料を塗装ローラ等の塗装器具に供給するためのものに限らず、液状のものを供給するものに広く利用することができる。例えば、切手を郵便物に貼る際に、切手の裏面の糊付着面に塗る水を供給する物としても利用することができる。
【符号の説明】
【００５７】
Ｐ…塗料
１…塗料供給具
２…塗料容器
３…塗装ローラ
１０…塗料供給ロール
１１…上方ローラ
１２…下方ローラ
１３…支持部材
１３ａ…横方向に延びる部分
１３ｂ…下方へ延びる部分
１３ｃ…被保持部
１４…下方ローラ取付け孔
１５…塗料供給ベルト
２０…ロール保持台
２１…平面板
２２…脚部
２３…載置面
２４…保持部
２５…位置決め部
３１…ローラ
３２…保持体
３３…塗装ベルト
３４…柄
３５…グリップ
４０…揺動部材
４１…ベース
４２…回転軸
４３…柄取付部
４４…スプリング材取付け部
４５…コイルバネ
【図１】
0005647590.tif 000002
【図２】
0005647590.tif 000003
【図３】
0005647590.tif 000004
【図４】
0005647590.tif 000005
【図５】
0005647590.tif 000006
【図６】
0005647590.tif 000007
【図７】
0005647590.tif 000008